(57)【要約】      （修正有）【課題】カーポート等の屋根に関して、簡易に設置することができる屋根用部材を提供する。【解決手段】屋根用部材１５は、長手方向と直交する方向により断面を取って見た断面形状が一様の中空による柱形状であって、両側面部に、それぞれ屋根材１６の連結部１６Ｊに対応する連結部１５Ｊを備え、上端面が、屋根材１６と共に屋根の上端面を形成する。またこの上端側に、中央に向かって延出するつば１５Ｆを上端面側に備えた凹状溝によるねじ取り付け溝１５Ｅを備える。この連結部１５Ｊによりねじ取り付け溝１５Ｅが露出するようにして屋根材１６と接続される。【選択図】図７
0003209664.tif 000002
【実用新案登録請求の範囲】
【請求項１】
長手方向と直交する方向により断面を取って見た断面形状が一様の中空による柱形状であって、
両側面部に、それぞれ屋根材との連結部を備え、
上端面が、前記屋根材と共に屋根の上端面を形成する
ことを特長とする屋根用部材。
【請求項２】
上端面及び又は下端面に、中央に向かって延出するつばを備えた凹状溝によるねじ取り付け溝を備える
請求項１に記載の屋根用部材。
【考案の詳細な説明】
【技術分野】
【０００１】
本考案は、屋根用部材に関し、例えばカーポートに適用することができる。
【背景技術】
【０００２】
従来、カーポートは、例えば、折板の端部を部分的に重ね合わせてねじ留めすることにより、折板を接続して屋根を構成している。特許文献１、２、３等には、このような金属板材の接続に関する工夫が提案されている。
【先行技術文献】
【特許文献】
【０００３】
【特許文献１】実公平７−３５９６９号公報
【特許文献２】実公平７−４００１７号公報
【特許文献３】実公平７−４５６９０号公報
【考案の概要】
【考案が解決しようとする課題】
【０００４】
カーポート等においては、屋根を簡易に設置することが望まれる。
【０００５】
本考案は、以上の点を考慮してなされたもので、カーポート等の屋根に関して、簡易に設置できるようにすることを目的とする。
【課題を解決するための手段】
【０００６】
具体的には、本考案は以下のようなものを提供する。
【０００７】
（１）  長手方向と直交する方向により断面を取って見た断面形状が一様の中空による柱形状であって、
両側面部に、それぞれ屋根材との連結部を備え、
上端面が、前記屋根材と共に屋根の上端面を形成する屋根用部材。
【０００８】
（１）によれば、連結部により屋根材と接続することにより、十分な強度を確保して簡易に屋根を設置することができる。
【０００９】
（２）（１）において、上端面及び又は下端面に、中央に向かって延出するつばを備えた凹状溝によるねじ取り付け溝を備える
【００１０】
（２）によれば、上端面のねじ取り付け溝により簡易かつ迅速に太陽光パネル等を設置することができる。またさらにねじの取り付け位置を種々に変更して種々の設置対象に柔軟に対応することができる。またさらに下端面のねじ取り付け溝を使用して、屋根用部材をフレーム材等に簡易かつ迅速に取り付けることができる。またさらに種々の構造にも柔軟に対応することができる。
【考案の効果】
【００１１】
本考案によれば、カーポート等の屋根に関して、簡易に設置することができる。
【図面の簡単な説明】
【００１２】
【図１】本考案の第１実施形態のカーポートを示す斜視図である。
【図２】図１のカーポートの屋根の部分を拡大して示す側面図である。
【図３】屋根を取り外した状態により図１のカーポートを示す斜視図である。
【図４】縦フレームと横フレームとの接続部を拡大して示す斜視図である。
【図５】図４の接続部の断面図である。
【図６】横フレームへの屋根の配置の説明に供する斜視図である。
【図７】屋根の部材を示す断面図である。
【図８】横フレームと屋根用部材との接続部を示す断面図である。
【図９】屋根における各部材の配置の詳細を示す断面図である。
【図１０】屋根における各部材の連結部を拡大して示す断面図である。
【図１１】第２実施形態に係る屋根用部材を示す断面図である。
【図１２】第３実施形態に係る屋根用部材を示す断面図である。
【考案を実施するための形態】
【００１３】
〔第１実施形態〕
図１は、本考案の第１実施形態に係るカーポートを示す斜視図であり、図２は、カーポート１に設けられた屋根２を周辺部材と共に部分的に拡大して示す側面図である。このカーポート１は、屋根２に太陽光パネル３が配置され、８本の支柱４によりこの屋根２が保持される。
【００１４】
すなわちカーポート１において、支柱４は、長手方向と直交する方向により断面を取って見た断面形状が一様であり、この断面形状が中空の矩形形状である柱状部材であり、この実施形態ではアルミニウムによる中空の押し出し材により形成される。支柱４は、土台５に保持された土台用プレート６に一端がねじ留めされ、これによりこの一端が土台５に保持される。また他端が、フレーム用プレート７Ａ、７Ｂにねじ留めされ、このフレーム用プレート７Ａ、７Ｂを介して屋根２を保持する縦フレーム８にこの他端が接続される。
【００１５】
支柱７は、屋根２の両側にそれぞれ４本配置される。また支柱４は、地面に対して前後に斜めに傾くように配置される。さらに両側に配置される４本の支柱４のうちの前後の各２本の支柱４は、それぞれ一端が土台用プレート６に共通にねじ留めされる。また中央の２本の支柱４は、他端が共通に一対のフレーム用プレート７Ａに挟持されてねじ留めされ、残り２本の支柱４は、それぞれ他端が個別に一対のフレーム用プレート７Ｂに挟持されてねじ留めされる。これらによりカーポート１は、側方より見てＷの字の形状を成すように支柱４が配置され、支柱４を筋交いとして機能させて強度の向上が図られる。
【００１６】
さらに支柱４は、後方（図２において右方向である）に向かうに従って徐々に長さが長くなり、これによりカーポート１は、屋根２を前後方向に斜めに傾けて保持し、屋根２に降った雨水を効率よく排水する。なおカーポート１は、図には明示されていないが、別途、屋根２より流れ落ちる雨水を受けるトイ等の排水構造が設けられる。
【００１７】
カーポート１は、屋根２を取り外した状態により図３に示すように、前後方向に延長するように縦フレーム８が配置され、この縦フレーム８と交差するように、縦フレーム８の上に横フレーム９が配置される。屋根２は、この縦フレーム８及び横フレーム９を介して支柱４に保持される。
【００１８】
縦フレーム８は、長手方向と直交する方向により断面を取って見た断面形状が一様の柱形状であり、この断面形状が略矩形形状である柱状部材であり、この実施形態ではアルミニウムによる中空の押し出し材により形成される。縦フレーム８は、一対のフレーム用プレート７Ａ、７Ｂにより挟持されてねじ留めされ、これによりこのフレーム用プレート７Ａ、７Ｂを介して支柱４と接続される。
【００１９】
図４は、縦フレーム８と横フレーム９との接続部を部分的に拡大して示す斜視図であり、図５は、縦フレーム８の延長方向に沿った断面によりこの接続部を切り取って示す断面図である。
【００２０】
縦フレーム８は、上端側に、中央に向かって延出するつば８Ｂを上端面側に備えた凹状溝によるねじ取り付け溝８Ａを備える。なおこのねじ取り付け溝８Ａは、この図５で表されている横フレーム９のねじ取り付け溝９Ａと同一の断面形状である。このねじ取り付け溝８Ａは、ナット１０を回転困難に、かつ脱落困難に収納保持する凹状溝である。
【００２１】
より具体的に、ねじ取り付け溝８Ａは、ナット１０の二面幅より幅広であって、ナット１０の対角距離より幅狭の溝幅により形成され、これによりナット１０を回転困難に保持する。またねじ取り付け溝８Ａは、この溝幅に係る部位のつば８Ｂからの深さがナット１０の高さより深く形成される。さらにつば８Ｂの先端間の間隔がこのナット１０にねじこまれるねじ部の直径より大きく、さらにこの間隔がナット１０の二面幅より幅狭であり、これによりナット１０を脱落困難に収納保持する。
【００２２】
縦フレーム８は、長手方向の端部より事前にこのねじ取り付け溝８Ａにナット１０を配置した後、横フレーム９の下端側、両端に設けられたつば９Ｃにかみ合うように留め具１１を配置し、事前に配置したナット１０を利用してこの留め具１１をねじ１３によりねじ留めすることにより、横フレーム９が配置される。なおつば９Ｃは、留め具１１とかみ合うように、先端がほぼ９０度の角度により折れ曲がった形状により形成される。
【００２３】
このようにねじ取り付け溝８Ａを利用して縦フレーム８に横フレーム９を配置することにより、縦フレーム８と横フレーム９とのレイアウトを種々に変更する場合（例えば横フレーム９の本数、間隔を変更する場合等）にあっても、このレイアウトの変更に柔軟に対応することができる。
【００２４】
横フレーム９は、長手方向と直交する方向により断面を取って見た断面形状が一様の柱形状であり、この断面形状が略台形形状である柱状部材であり、この実施形態ではアルミニウムによる中空の押し出し材により形成される。横フレーム９は、底面側端面に、側方に延出して先端が折れ曲がったつば９Ｃを備え、このつば９Ｃにより留め具１１を介して縦フレーム８に保持される。
【００２５】
横フレーム９は、さらに下端面に、縦フレーム８と同様のつば９Ｂを備えたねじ取り付け溝９Ａを備え、これによりねじ取り付け溝９Ａを利用して、種々の部材を別途取りつけることができるように、さらには縦フレーム８との接続方法を種々に変更できるように構成される。
【００２６】
またさらに横フレーム９は、上端面に、下端側と同様に、つば９Ｆを備えたねじ取り付け溝９Ｅを備え、さらに先端が折れ曲がったつば９Ｇを備える。
【００２７】
図６は、部材を一部のみ配置した状態で屋根２を部分的に示す斜視図である。屋根２は、横フレーム９の延長方向に屋根材１６、屋根用部材１５が順次交互に配置され、この交互配置に係る両端に端部屋根用部材１７及び終端部材２Ｂ（図１参照）が順次配置される。またこの交互配置と直交する方向の両端に、同様の終端部材２Ａ（図１参照）が配置される。屋根２は、屋根用部材１５が横フレーム９に接続されて保持され、この屋根用部材１５により屋根材１６、端部屋根用部材１７、終端部材２Ａ、２Ｂが保持される。
【００２８】
ここで屋根用部材１５は、延長方向と直交する方向により断面を取って図７（Ｃ）より示すように、長手方向と直交する方向により断面を取って見た断面形状が一様の中空による柱形状であり、この断面形状が略台形形状である柱状部材であり、この実施形態ではアルミニウムによる中空の押し出し材により形成される。
【００２９】
屋根用部材１５は、下端側に、中央に向かって延出するつば１５Ｂを下端面側に備えた凹状溝によるのねじ取り付け溝１５Ａを備える。このねじ取り付け溝１５Ａは、屋根用部材１５の延長方向に沿った断面により切り取って図８に示すように、ナット２０を回転困難に、かつ脱落困難に収納保持する凹状溝である。
【００３０】
より具体的に、ねじ取り付け溝１５Ａは、ナット２０の二面幅より幅広であって、ナット２０の対角距離より幅狭の溝幅Ｗ１により形成され、これによりナット２０を回転困難に保持する。またねじ取り付け溝１５Ａは、この溝幅Ｗ１に係る部位のつば１５Ｂからの深さＤがナット２０の高さより深く形成される。またつば１５Ｂの先端間の間隔Ｗ２がこのナット２０にねじこまれるねじ２３のねじ部の直径より大きく、さらにこの間隔Ｗ２がナット２０の二面幅より幅狭であり、これにより脱落困難にナット２０を収納保持する
【００３１】
屋根用部材１５は、長手方向の端部より事前にこのねじ取り付け溝１５Ａにナット２０を配置した後、横フレーム９の上端側、両端に設けられたつば９Ｇに編み合うように留め具２１を配置し、事前に配置したナット２０を利用してこの留め具２１をねじ２３によりねじ留めすることにより、横フレーム９に接続配置される。
【００３２】
このようにねじ取り付け溝１５Ａを利用して屋根用部材１５を配置することにより、縦フレーム８と横フレーム９とのレイアウトを種々に変更する場合（例えば横フレーム９の本数、間隔を変更する場合）、さらには種々の構成の横フレーム９を使用する場合等にあっても、柔軟に対応することができる。
【００３３】
さらに屋根用部材１５は、両側面部に、それぞれ屋根材１６との連結部１６Ｊを備え、上端面が、屋根材１６と共に屋根２の上端面を形成する。またこの上端側に、中央に向かって延出するつば１５Ｆを上端面側に備えた凹状溝によるねじ取り付け溝１５Ｅを備える。このねじ取り付け溝１５Ａは、下側端面側に設けられたねじ取り付け溝１５Ａと同様に構成される。これによりカーポート１は、このねじ取り付け溝１５Ｅを利用して種々の設置対象に柔軟に対応して簡易かつ迅速に設置することができる。
【００３４】
すなわちねじ取り付け溝１５Ａにねじを配置して上側に種々の構成をねじ留めできることにより、簡易かつ迅速に、太陽光パネル等の設置対象を設置することができる。またこのねじを配置する部位が凹状溝であることにより、ねじ留めの箇所を必要に応じて種々に変更することができ、これによっても簡易かつ迅速に設置対象を設置することができ、さらに種々の設置対象に柔軟に対応することができる。
【００３５】
さらに屋根用部材１５は、ねじ取り付け溝１５Ａ、１５Ｅの両端が、それぞれ上下で縦壁１５Gにより接続され、これにより十分に強度が確保される。
【００３６】
また屋根用部材１５は、両側面部に、それぞれ屋根材１６との連結部１５Ｊを備え、図９に示すように、この連結部１５Ｊによりねじ取り付け溝１５Ｅが露出するようにして屋根材１６と接続される。
【００３７】
ここで図１０（Ａ）に部分的に拡大して示すように、屋根用部材１５は、高さ方向のほぼ中央の部位に、縦壁１５Ｇと対応する側壁１５Ｋとをほぼ水平に接続する横壁１５Ｌを備え、この横壁１５Ｌのねじ取り付け溝１５Ａ側に開口１５Ｍが形成される。またこの開口１５Ｍの下方に、途中で折れ曲がって側壁１５Ｋと縦壁１５Ｇとを接続する横壁１５Ｎが形成される。これらの横壁１５Ｌ、１５Ｎにより屋根用部材１５は、一段と強度が確保される。
【００３８】
連結部１５Ｊは、横壁１５Ｌのねじ取り付け溝１５Ａ側面が、中央の側より斜めに立ち下がった後、段差を形成し、これにより斜面を備えた凸条１５ＬＡが横壁１５Ｌの下面側に設けられる。また連結部１５Ｊは、開口１５Ｍに沿って、側壁１５Ｋの内側面が突出して凸条１５ＬＡが形成される。また横壁１５Ｎが、開口１５Ｍ側で下方に折れ曲がって段差を形成し、これにより開口１５Ｍの下部に、開口１５Ｍ側に側壁１５Ｋが突出して突出部１５ＫＢが形成される。
【００３９】
屋根材１６は、延長方向と直交する方向により断面を取って図７（Ｂ）に示すように、長手方向と直交する方向により断面を取って見た断面形状が一様の柱形状であり、この実施形態ではアルミニウムによる中空の押し出し材により形成される。
【００４０】
屋根材１６は、底面が平坦面により形成され、中央部分が上方に台形形状により盛り上がるように形成され、またこの台形形状の部位が中空形状により形成される。なおこの中空の部位は、埋め込み型のダウンライトの配置、各種ケーブルの配置等に利用することができる。屋根材１６は、この盛り上がった部位の厚みＨ２が、屋根用部材１５の厚みＨ１と等しく、これにより横フレーム９に配置して、屋根用部材１５とで上端面の高さが等しくなるように設定される。
【００４１】
屋根材１６は、屋根用部材１５の連結部１５Ｊに対応する連結部１６Ｊが、両端部に設けられ、この連結部１６Ｊにより屋根用部材１５、端部屋根用部材１７と接続される。
【００４２】
ここで図１０（Ｂ）に示すように、連結部１６Ｊは、屋根用部材１５の側壁１５Ｋに対応する傾きにより端部が立ち上がって側壁１６Ｋが形成される。またこの側壁１６Ｋの側方に、先端がカギ状に折れ曲がった凸条１６ＫＡが形成され、図１０（Ｃ）により連結した状態を示すように、屋根用部材１５と連結した状態で、この凸条１６ＫＡが、屋根用部材１５の突出部１５ＫＢにかみ合って係合する。
【００４３】
また連結部１６Ｊは、凸条１６ＫＡの上方で、屋根用部材１５の開口１５Ｍに対応して側壁１６Ｋが階段状に折れ曲がって延出し、屋根用部材１５との連結時、この延出した先端が、屋根用部材１５の凸条１５ＬＡを内側から乗り越えた後、横壁１５Ｌの下面に当接する。
【００４４】
これにより屋根材１６は、屋根用部材１５の開口１５Ｍに側壁１６Ｋの先端を斜め上方より差し込んだ後、この差し込んだ部位を回動中心にして回動させることにより、この差し込んだ先端が凸条１５ＬＡを内側から乗り越えると共に、凸条１６ＫＡの先端が突出部１５ＫＢに係合し、屋根用部材１５に連結保持される。これによりカーポート１は、簡易な作業により屋根用部材１５と屋根材１６とを接続し、中空構造による屋根用部材１５により十分な強度を確保して簡易に屋根２を設置することができる。
【００４５】
また連結部１６Ｊは、先端側にて中央方向に突出するように凸条１６ＫＢが設けられ、屋根用部材１５と連結した際に、この凸条１６ＫＢの先端が屋根用部材１５の側壁１５Ｋに当接する。
【００４６】
また屋根用部材１５は、屋根材１６と連結した際に、凸条１５ＫＡの先端が、屋根材１６の側壁１６Ｋに当接する。
【００４７】
このような凸条１５ＫＡ、１６ＫＢの当接、側壁１６Ｋの先端の横壁１５Ｌの当接により、カーポート１は、連結部１５Ｊ、１６Ｊにおける水漏れを防止する。
【００４８】
端部屋根用部材１７は、延長方向と直交する方向により断面を取って図７（Ａ）より示すように、長手方向と直交する方向により断面を取って見た断面形状が一様の柱形状であり、この断面形状が略台形形状である柱状部材であり、この実施形態ではアルミニウムによる中空の押し出し材により形成される。
【００４９】
端部屋根用部材１７は、一方の側面側が、屋根用部材１５と同一に構成され、これにより屋根用部材１５の連結部１５Ｊと同様の連結部１７Ｊが設けられる。これにより端部屋根用部材１７は、屋根用部材１５と同様にして屋根材１６に接続することができる（図９参照）。
【００５０】
また端部屋根用部材１７は、屋根用部材１５のねじ取り付け溝１５Ｅと同様に、中央に向かって延出するつば１７Ｆを上端面側に備えた凹状溝によるねじ取り付け溝１７Ｅを上端面側に備える。これにより屋根用部材１５と同様に、このねじ取り付け溝１７Ｅを利用して種々の設置対象に柔軟に対応して簡易かつ迅速に設置することができる。
【００５１】
また端部屋根用部材１７は、屋根用部材１５のねじ取り付け溝１５Ａと同様に、中央に向かって延出するつば１７Ｂを下端面側に備えた凹状溝によるねじ取り付け溝１７Ａを下端面側に備える。これにより屋根用部材１５と同様に、このねじ取り付け溝１７Ａを利用して種々の構成に柔軟に対応することができる。
【００５２】
また端部屋根用部材１７は、他方の側面側の上下に、つば１７Ｐ、１７Ｑを備え、このつば１７Ｐ、１７Ｑに終端部材２Ｂをねじ留めして、屋根２の端部を目隠しする。カーポート１では、さらにこの終端部材２Ｂに終端部材２Ａをねじ留めして、さらに屋根２の端部を目隠しする。
【００５３】
端部屋根用部材１７は、全体の厚みＨ３が、屋根用部材１５の厚みＨ１と等しく、これにより横フレーム９に配置して、屋根用部材１５とで上端面の高さが等しくなるように設定される。
【００５４】
カーポート１においては、図９に示すように、２本に１本の割合で屋根用部材１５を横フレーム９に接続して屋根２が構成される。
【００５５】
太陽光パネル３は、屋根用部材１５のねじ取り付け溝１５Ｅにナット３０を配置して、このナット３０を使用して太陽光パネル３の保持金具３１をねじ３２によりねじ留めして配置される。
【００５６】
この実施形態によれば、長手方向と直交する方向により断面を取って見た断面形状が一様の中空による柱形状により屋根用部材１５が形成され、この屋根用部材１５が、両側面部に、それぞれ屋根材との連結部を備えることにより、連結部により屋根材と接続して簡易に屋根を設置することができる。また中空による柱形状により屋根用部材１５の上端面が、屋根材と共に屋根の上端面を形成することにより、材料を有効利用しつつ、十分な強度を確保して屋根を構成することができる。また中空形状であることにより、上端面の穴加工等により種々の構成を屋根に設置することができる。
【００５７】
またさらに、上端面に、中央に向かって延出するつばを上端面側に備えた凹状溝によるねじ取り付け溝を備えることにより、このねじ取り付け溝にねじを取り付けて、このねじにより簡易かつ迅速に太陽光パネル等を屋根に設置することができる。またさらにこのねじ取り付け溝が、凹状溝であることにより、ねじの取り付け位置を種々に変更して種々の設置対象に柔軟に対応することができる。
【００５８】
またさらに屋根用部材が、下端面部に、中央に向かって延出するつばを下端面側に備えた凹状溝によるねじ取り付け溝を備える屋根用部材を備えることにより、フレーム材等に簡易かつ迅速に取り付けることができる。またさらに種々の構造にも柔軟に対応することができる。
【００５９】
〔第２実施形態〕
図１１は、図７（Ｃ）との対比により本考案の第２実施形態に係る屋根用部材を示す断面図である。この屋根用部材４５は、上端面が平坦面により形成される。また屋根用部材１５と同様に、ねじ取り付け溝４５Ａ、連結部４５Ｊが設けられる。これにより太陽光パネルを取り付ける予定の無い場合等に適用して簡易に屋根を設置することができ、さらには第１実施形態について上述した屋根用部材１５と組み合わせて簡易に屋根を設置することができる。
【００６０】
この実施形態のように、上端面を平坦面により形成しても、第１実施形態と同様の効果を得ることができる。
【００６１】
〔第３実施形態〕
図１２は、図７（Ｃ）との対比により本考案の第３実施形態に係る屋根用部材を示す断面図である。この屋根用部材５５は、下端面が平坦面により形成され、この下端面に、両側方に延出するつば５５Ｒが設けられる。また屋根用部材１５と同様に、ねじ取り付け溝５５Ｅ、連結部５５Ｊが設けられる。
【００６２】
屋根用部材５５は、つば５５Ｒにねじ穴を設け、このねじ穴を使用して横フレーム９にねじ留めされる。なおこのねじ留めの構成に対応するように、屋根材、横フレームも構成される。
【００６３】
この実施形態のように、下面側のねじ取り付け溝を省略しても、第１実施形態と同様の効果を得ることができる。
【００６４】
〔他の実施形態〕
以上、本考案の実施に好適な具体的な構成を詳述したが、本考案は、本考案の趣旨を逸脱しない範囲で、上述の実施形態の構成を種々に変更することができる。
【００６５】
すなわち上述の実施形態では、屋根材の先端を開口に差し込んで屋根材を接続する場合について述べたが、本考案はこれに限らず、連結部の構成は種々の構成を広く適用することができる。
【００６６】
また上述の実施形態では、ねじ取り付け溝又はつばを下端面に設けて下側の部材と接続する場合について述べたが、本考案はこれに限らず、これら以外の構成を適用して下側の部材と接続してもよい。
【００６７】
また上述の実施形態では、本考案に係る屋根用部材を使用してカーポートを構成する場合について述べたが、本考案はこれに限らず、建築物の屋根、建築物を結ぶ渡り廊下の屋根等、各種の屋根に広く適用することができる。
【符号の説明】
【００６８】
１    カーポート
２    屋根
２Ａ、２Ｂ    終端部材
３    太陽光パネル
４    支柱
５    土台
６    土台用プレート
７Ａ、７Ｂ    フレーム用プレート
８    縦フレーム
８Ａ、９Ａ、９Ｅ、１５Ａ、１５Ｅ、４５Ａ、５５Ｅ    ねじ取り付け溝
８Ｂ、９Ｂ、９Ｃ、９Ｆ、９Ｇ、１５Ｂ、１５Ｆ、１７Ｐ、１７Ｑ、５５Ｒ    つば
９    横フレーム
１０、２０、３０    ナット
１１、２１    留め具
１３、２３、３２    ねじ
１５、４５、５５    屋根用部材
１５Ｇ    竪壁
１５Ｊ、１６Ｊ、４５Ｊ、５５Ｊ    連結部
１５Ｋ、１６Ｋ    側壁
１５Ｌ、１５Ｎ    横壁
１５Ｍ    開口
１５ＬＡ、１５ＫＡ、１６ＫＡ、１６ＫＢ    凸条
１５ＫＢ    突出部  １６    屋根材
１７    端部屋根用部材
３１    保持金具
【図１】
0003209664.tif 000003
【図２】
0003209664.tif 000004
【図３】
0003209664.tif 000005
【図４】
0003209664.tif 000006
【図５】
0003209664.tif 000007
【図６】
0003209664.tif 000008
【図７】
0003209664.tif 000009
【図８】
0003209664.tif 000010
【図９】
0003209664.tif 000011
【図１０】
0003209664.tif 000012
【図１１】
0003209664.tif 000013
【図１２】
0003209664.tif 000014